(57)【要約】【課題】取り付け高さの異なる延長仮設架台を、簡便に高さ調整して取り付けることが可能な仮設足場用ブラケットを提供する【解決手段】周囲の異なる位置に横断面コ字状の連結金具１１〜１４が複数設けられた支柱１５に取り付ける仮設足場用ブラケット１０であって、一側に連結金具１１に挿入する楔金具１６を備えた水平材１７と、水平材１７の下側中間位置に一端が連結され、他端には支柱１５に当接する当て板１８を備えた斜め補強部材１９と、水平材１７の他側に垂直配置されて固着された短管２０と、短管２０内に挿通して固着され、短管２０の上部から突出するほぞ材２１と、ほぞ材２１の少なくとも１８０度周りに装着されて、ほぞ材２１に装着される第２の支柱２２の高さ位置を変更する高さ調整材２３とを有し、しかも、高さ調整材２３は、短管２０の上側周囲の一部に設けられた軸受部２５に回動可能に取り付けられている。【選択図】図１
2010275770.tif 000002
【特許請求の範囲】
【請求項１】
周囲の異なる位置に横断面コ字状の連結金具が複数設けられた支柱に取り付ける仮設足場用ブラケットであって、
一側に前記連結金具に挿入する楔金具を備えた水平材と、
該水平材の下側中間位置に一端が連結され、他端には前記支柱に当接する当て板を備えた斜め補強部材と、
前記水平材の他側に垂直配置されて固着された短管と、
前記短管内に挿通して固着され、該短管の上部から突出するほぞ材と、
前記ほぞ材の少なくとも１８０度周りに装着されて、前記ほぞ材に装着される第２の支柱の高さ位置を変更する高さ調整材とを有し、
しかも、前記高さ調整材は、前記短管の上側周囲の一部に設けられた軸受部に回動可能に取り付けられていることを特徴とする仮設足場用ブラケット。
【請求項２】
請求項１記載の仮設足場用ブラケットにおいて、前記高さ調整材は、下部が前記軸受部にピンを介して回動自在に取付けられた断面Ｕ字状の連結部と、前記連結部の両側片に一体的に連接し前記ほぞ材の１８０度周りに装着される対となる円弧状折り曲げ部とを有していることを特徴とする仮設足場用ブラケット。
【請求項３】
請求項２記載の仮設足場用ブラケットにおいて、対となる前記円弧状折り曲げ部は、前記連結部を含めて前記ほぞ材を１８０度を超えて覆い、しかも前記それぞれの円弧状折り曲げ部の開放側先端部は外側に開いていることを特徴とする仮設足場用ブラケット。
【発明の詳細な説明】
【技術分野】
【０００１】
建築現場で構築された仮設足場を、更に外側に延長する場合等に使用される仮設足場用ブラケットに関する。
【背景技術】
【０００２】
住宅等の建築物工事に当たっては、建物の周囲又は一部の箇所に２本の支柱を所定間隔毎に配置して、これを水平材で連結して仮設足場を組むことが行われている。ところが、建物の途中位置に、ベランダ、軒、庇等があると、これらを避けて仮設足場を構築する必要があり、例えば、特許文献１、特許文献２に記載のような、足場受け部材が使用されている。また、近年においては、特許文献３に示すように、支柱の側部に断面溝形状の連結金具を十字方向に取付けて、必要な水平連結部材、筋交い、延長仮設架台等を取り付けることが行われている。
【先行技術文献】
【特許文献】
【０００３】
【特許文献１】実開昭５６−１２９４６２号公報
【特許文献２】特開平１１−１４８２２４号公報
【特許文献３】特開２００２−３８７１１号公報
【発明の概要】
【発明が解決しようとする課題】
【０００４】
ところが、特許文献３記載の支柱を使用する場合、十字方向に取付けられている連結金具の取付け高さは、直角方向（即ち、Ｘ方向とＹ方向）で異なるので、この連結金具を利用して延長仮設架台を構築する場合には、高さを調整する機構が必要である。
特許文献１においては、中間金具（連結ピン）を交換すれば、任意の高さの延長仮設架台を取り付けることは可能であるが、２種類の中間金具を別に用意する必要があり、手間である。また、特許文献２の場合は、そのままでは高さの異なる延長仮設架台を取り付けることは難しく、特許文献１に記載のような中間金具を必要とする。
【０００５】
本発明は、かかる事情に鑑みてなされたもので、取り付け高さの異なる延長仮設架台を、簡便に高さ調整して取り付けることが可能な仮設足場用ブラケットを提供することを目的とする。
【課題を解決するための手段】
【０００６】
前記目的に沿う本発明に係る仮設足場用ブラケットは、周囲の異なる位置に横断面コ字状の連結金具が複数設けられた支柱に取り付ける仮設足場用ブラケットであって、
一側に前記連結金具に挿入する楔金具を備えた水平材と、
該水平材の下側中間位置に一端が連結され、他端には前記支柱に当接する当て板を備えた斜め補強部材と、
前記水平材の他側に垂直配置されて固着された短管と、
前記短管内に挿通して固着され、該短管の上部から突出するほぞ材と、
前記ほぞ材の少なくとも１８０度周りに装着されて、前記ほぞ材に装着される第２の支柱の高さ位置を変更する高さ調整材とを有し、
しかも、前記高さ調整材は、前記短管の上側周囲の一部に設けられた軸受部に回動可能に取り付けられている。
【０００７】
本発明に係る仮設足場用ブラケットにおいて、前記高さ調整材は、下部が前記軸受部にピンを介して回動自在に取付けられた断面Ｕ字状の連結部と、前記連結部の両側片に一体的に連接し前記ほぞ材の１８０度周りに装着される対となる円弧状折り曲げ部とを有しているのが好ましい。
【０００８】
また、本発明に係る仮設足場用ブラケットにおいて、対となる前記円弧状折り曲げ部は、前記連結部を含めて前記ほぞ材を１８０度を超えて覆い、しかも前記それぞれの円弧状折り曲げ部の開放側先端部は外側に開いているのが好ましい。
【発明の効果】
【０００９】
本発明に係る仮設足場用ブラケットは、一側に連結金具に挿入する楔金具を備えた水平材と、水平材の下側中間位置に一端が連結され、他端には支柱に当接する当て板を備えた斜め補強部材と、水平材の他側に垂直配置されて固着された短管と、短管内に挿通して固着され、短管の上部から突出するほぞ材と、ほぞ材の少なくとも１８０度周りに装着されて、ほぞ材に装着される第２の支柱の高さ位置を変更する高さ調整材とを有しているので、楔金具を既存の支柱の連結金具に挿入して、この仮設足場用ブラケットを支柱に取り付ける。そして、第２の支柱の取付け高さを変えて低い状態でこの仮設足場用ブラケットに取付ける場合には、高さ調整材をほぞ材から外した状態で、第２の支柱をほぞ材に装着する。
【００１０】
次に、第２の支柱の取付け高さを高くするには、高さ調整材をほぞ材に装着した状態で、第２の支柱をほぞ材に取り付ける。この場合、高さ調整材は、短管の上側周囲の一部に設けられた軸受部に回動可能に取り付けられているので、常時この仮設足場用ブラケットに付設していることになり、紛失しない。更に、高さ調整材はほぞ材の１８０度周りに取り付けられるので、この高さ調整材をほぞ材に装着した場合には、確実に上部の第２の支柱の荷重を受け持つことができ、かつ高さ調整材の外れる方向への回り止めを確保できる。
【００１１】
特に、本発明に係る仮設足場用ブラケットにおいて、高さ調整材を、下部が軸受部にピンを介して回動自在に取付けられた断面Ｕ字状の連結部と、連結部の両側片に一体的に連接しほぞ材の１８０度周りに装着される対となる円弧状折り曲げ部とを有して構成した場合には、製造が容易である他、取付け取り外しも容易となる。
【００１２】
そして、対となる円弧状折り曲げ部は、連結部を含めてほぞ材を１８０度を超えて覆い、しかもそれぞれの円弧状折り曲げ部の開放側先端部は外側に開いている構成とした場合には、高さ調整材がより外れ難くなる。
【図面の簡単な説明】
【００１３】
【図１】本発明の一実施の形態に係る仮設足場用ブラケットの使用状態の正面図である。
【図２】本発明の一実施の形態に係る仮設足場用ブラケットの別の使用状態の正面図である。
【図３】（Ａ）、（Ｂ）はそれぞれ同仮設足場用ブラケットに使用する高さ調整材の平面図及び正面図である。
【発明を実施するための形態】
【００１４】
図１〜図３に示すように、本発明の一実施の形態に係る仮設足場用ブラケット１０は、十分強度を有する鋼材からなり、周囲の異なる位置に横断面コ字状の連結金具１１〜１４が設けられた支柱１５に取り付けるものであって、一側に連結金具１１に挿入する楔金具１６を備えた水平材１７と、水平材１７の下側中間位置に一端が連結され、他端には支柱１５に当接する当て板１８を備えた斜め補強部材１９と、水平材１７の他側に垂直配置されて固着された短管２０と、短管２０内に挿通して固着され、短管２０の上部から突出するほぞ材２１と、ほぞ材２１の少なくとも１８０度周りに装着されて、ほぞ材２１に装着される第２の支柱２２の高さ位置を変更する高さ調整材２３とを有している。以下これらについて詳しく説明する。
【００１５】
周知構造の連結金具１１〜１４は、支柱１５の側部の所定高さ位置に設けられ、横断面コ字状で溝深さが下方程浅くなって、溝底部と支柱との距離は徐々に小さくなって、テーパー（溝底が斜面）となっている。なお、支柱１５に対してＸ方向（横水平方向）に取付けられている連結金具１１、１２に対して、支柱１５に対してＹ方向（縦水平方向）に取付けられている連結金具１３、１４は、約４５ｍｍ上位置に取付けられている。
【００１６】
楔金具１６は板材を折り曲げて形成され、連結金具１１に装着されてこの仮設足場用ブラケット１０を固定するためのものであるので、連結金具１１の斜面（テーパー）に沿った傾斜角度を有し、楔金具１６の下半分が連結金具１１に嵌入し、先部が連結金具１１の下から突出する長さを有している。楔金具１６の上部には、水平材１７が嵌入して溶接固定されている。この水平材１７はこの実施の形態では外径が４２．７ｍｍ（又は４８．６ｍｍ）のパイプからなって、全長は３４０〜３７０ｍｍ程度となっている。
【００１７】
水平材１７の下部には斜め補強部材１９が設けられている。この斜め補強部材１９は平板からなって、上端は水平材１７の先端から１／３位置にある中央底部に４５度傾斜で固定され、下端には支柱１５の側面に当接する横断面部分円弧状の当て板１８が設けられている。そして、斜め補強部材１９の中間部に垂直材２４が設けられ、上端は水平材１７の底に当接し、水平材１７の補強を図っている。
【００１８】
水平材１７の先部に短管２０が垂直状態で取付けられている。この短管２０は外径が４８．６ｍｍのパイプからなって、内部に４２．７ｍｍの直径のパイプからなるほぞ材２１が挿通して溶接固定されている。短管２０の全長は、１５０〜１６０ｍｍの長さを有し、３５０〜３８０ｍｍのほぞ材２１が挿通している。なお、水平材１７の上端から短管２０の上端までの高さは約９５〜１０５ｍｍとなっている。
【００１９】
ほぞ材２１の短管２０の上端からの突出長さは任意であるが、この実施の形態では１５０〜１８０ｍｍ程度となっている。突出したほぞ材２１の中間部には貫通孔が設けられ、接続される第２の支柱２２とピンを介して連結可能となっている。
【００２０】
短管２０の上側側面には軸受板２５（軸受部の一例）が設けられている。この軸受板２５には図３（Ａ）、（Ｂ）に示すような高さ調整材２３がピン２６を介して回動可能に連結されている。高さ調整材２３は、板材を折り曲げて形成され、対向して配置され、それぞれほぞ材２１を８０〜９０度の円弧角で覆う円弧状折り曲げ部２７、２８を有し、これらが断面Ｕ字状の連結部２９で連結されている。連結部２９は図３（Ｂ）において下側に延長された対となる片３０、３１の間に軸受板２５が嵌入し、ピン２６によって連結されている。なお、円弧状折り曲げ部２７、２８は、それぞれ連結部２９の両側片に一体的に連接している。
【００２１】
図３（Ａ）に示すように、０度位置にある連結部２９を中心にして、円弧状折り曲げ部２７、２８はそれぞれ９０度位置、−９０度位置まで円弧状となって、９０度位置及び−９０度位置を超えると接線方向に延長し、更に開放側先端部３３、３４では外側に開いている。なお、対となる円弧状折り曲げ部２７、２８でもって、ほぞ材２１を１８０度周囲を取り囲んで高さ調整材２３が装着されるようになっている。
なお、９０度位置、−９０度位置にある円弧状折り曲げ部２７、２８の自由状態の間隔は、ほぞ材２１の直径よりも僅少の範囲（例えば、０．５〜２ｍｍ）で小さくなって、高さ調整材２３をほぞ材２１に装着した場合に、簡単に抜けないようになっている。
【００２２】
従って、この高さ調整材２３を使用しない場合には、図２に示すように、高さ調整材２３をほぞ材２１から外して、軸受板２５の下にぶらさげておき、使用する場合のみ、高さ調整材２３を回動させて、図１に示すようにほぞ材２１に装着する。この状態で第２の支柱２２を装着すると、第２の支柱２２の荷重が高さ調整材２３を抑えるので、不用意に高さ調整材２３がほぞ材２１から外れることはない。
【００２３】
従って、この仮設足場用ブラケット１０を使用する場合は、既設の支柱１５の連結金具１１（又は、連結金具１２〜１４のいずれか）に楔金具１６を装着する。この状態で、斜め補強部材１９の当て板１８は支柱１５に接して、水平材１７は水平状態を維持する。次に、第２の支柱２２の取付け位置が高い場合には、図１に示すように、高さ調整材２３を回動し、短管２０の上に載せると共にほぞ材２１に装着する。この状態で、第２の支柱２２を載せることになる。
【００２４】
次に、第２の支柱１５の高さ位置が低い場合には、図２に示すように、高さ調整材２３をほぞ材２１から外して、軸受板２５にぶら下げる。この状態で、第２の支柱２２を装着すると、第２の支柱２２の底部が短管２０に当たりその位置が決まる。
【００２５】
前記実施の形態においては、高さ調整材２３、即ち軸受板２５を支柱１５から遠い側に設けたが、その他の角度位置に取付ける場合でも本発明は適用される。
また、前記実施の形態においては、具体的な形状に特定して説明したが、本発明の要旨を変更しない範囲で形状変更を行うこともできる。
【符号の説明】
【００２６】
１０：仮設足場用ブラケット、１１〜１４：連結金具、１５：支柱、１６：楔金具、１７：水平材、１８：当て板、１９：斜め補強部材、２０：短管、２１：ほぞ材、２２：第２の支柱、２３：高さ調整材、２４：垂直材、２５：軸受板、２６：ピン、２７、２８：円弧状折り曲げ部、２９：連結部、３０、３１：片、３３、３４：開放側先端部
【図１】
2010275770.tif 000003
【図２】
2010275770.tif 000004
【図３】
2010275770.tif 000005